【手続補正書】
【提出日】平成22年4月13日(2010.4.13)
【手続補正１】
【補正対象書類名】特許請求の範囲
【補正対象項目名】全文
【補正方法】変更
【補正の内容】
【特許請求の範囲】
【請求項１】
カソードと、アノードと、その間にあって、少なくとも1種類の電子輸送共同ホストと少なくとも1種類の正孔輸送共同ホストの混合物を含むホストの中に配置されたリン光発光化合物を含有する発光層（LEL）とを備えていて、そのLELのカソード側に隣接して電子輸送層が存在するとともに、上記カソードに隣接して複素芳香族化合物を含むEILが存在しているOLEDデバイス。
【請求項２】
上記各共同ホスト材料の三重項エネルギーが、上記リン光発光化合物の三重項エネルギーよりも大きい、請求項1に記載のデバイス。
【請求項３】
上記正孔輸送共同ホストが、一般式：
【化１】
2009535812.tif 000001
で表わされる（ただし、
nは1〜4の整数であり；
Qは、-N、-C、フェニル基、ビフェニル基、アリール基のいずれかであり；
R1は、フェニル基、ビフェニル基、アリール基、単結合のいずれかであり；
R2〜R7は、独立に、水素、アルキル基、フェニル基、アリールアミン基、カルバゾール基のいずれかである）、請求項1に記載のデバイス。
【請求項４】
上記正孔輸送共同ホストが、一般式：
【化２】
2009535812.tif 000002
で表わされる（ただし、
Lは、C、フェニル、置換されたフェニルのいずれかであり、
R1とR2は、独立に置換基を表わすが、R1とR2が合わさって環を形成してもよく；
nは1または0であり；
Ar1〜Ar4は、独立に選択された芳香族基を表わし；
R3〜R10は、独立に、水素、アルキル基、アリール基のいずれかを表わす）、請求項1に記載のデバイス。
【請求項５】
上記正孔輸送共同ホストの選択が、
4,4'-ビス[N-(1-ナフチル)-N-フェニルアミノ]ビフェニル（NPB）；
4,4'-ビス[N-(1-ナフチル)-N-(2-ナフチル)アミノ]ビフェニル（TNB）；
4,4'-ビス[N-(3-メチルフェニル)-N-フェニルアミノ]ビフェニル（TPD）；
4,4'-ビス-ジフェニルアミノ-テルフェニル；
2,6,2',6'-テトラメチル-N,N,N',N'-テトラフェニル-ベンジジン；
4,4',4"-トリス[(3-メチルフェニル)フェニルアミノ]トリフェニルアミン（MTDATA）；
4,4',4"-トリス(N,N-ジフェニルアミノ)トリフェニルアミン（TDATA）；
N,N-ビス[2,5-ジメチル-4-[(3-メチルフェニル)フェニルアミノ]フェニル]-2,5-ジメチル-N'-(3-メチルフェニル)-N'-フェニル-1,4-ベンゼンジアミン；
1,1-ビス(4-(N,N-ジ-p-トリルアミノ)フェニル)シクロヘキサン（TAPC）；
1,1-ビス(4-(N,N-ジ-p-トリルアミノ)フェニル)シクロペンタン；
4,4'-(9H-フルオレン-9-イリデン)ビス[N,N-ビス(4-メチルフェニル)]-ベンゼンアミン；
1,1-ビス(4-(N,N-ジ-p-トリルアミノ)フェニル)-4-フェニルシクロヘキサン；
1,1-ビス(4-(N,N-ジ-p-トリルアミノ)フェニル)-4-メチルシクロヘキサン；
1,1-ビス(4-(N,N-ジ-p-トリルアミノ)フェニル)-3-フェニルプロパン；
ビス[4-(N,N-ジエチルアミノ)-2-メチルフェニル](4-メチルフェニル)メタン（MPMP）；
ビス[4-(N,N-ジエチルアミノ)-2-メチルフェニル](4-メチルフェニル)エタン；
(4-ジエチルアミノフェニル)トリフェニルメタン；
ビス(4-ジエチルアミノフェニル)ジフェニルメタン；
4-(9H-カルバゾル-9-イル)-N,N-ビス[4-(9H-カルバゾル-9-イル)-フェニル]-ベンゼンアミン（TCTA）；
4-(3-フェニル-9H-カルバゾル-9-イル)-N,N-ビス[4-(3-フェニル-9H-カルバゾル-9-イル)フェニル]-ベンゼンアミン；
9,9'-[5'-[4-(9H-カルバゾル-9-イル)フェニル][1,1':3',1"-テルフェニル]-4,4"-ジイル]ビス-9H-カルバゾール；
9,9'-(2,2'-ジメチル[1,1'-ビフェニル]-4,4'-ジイル)ビス-9H-カルバゾール（CDBP）；
9,9'-[1,1'-ビフェニル]-4,4'-ジイルビス-9H-カルバゾール（CBP）；
9,9'-(1,3-フェニレン)ビス-9H-カルバゾール（mCP）；
9,9'-(1,4-フェニレン)ビス-9H-カルバゾール；
9,9',9"-(1,3,5-ベンゼントリイル)トリス-9H-カルバゾール；
9,9'-(1,4-フェニレン)ビス[N,N,N',N'-テトラフェニル-9H-カルバゾール-3,6-ジアミン]；
9-[4-(9H-カルバゾル-9-イル)フェニル]-N,N-ジフェニル-9H-カルバゾール-3-アミン；
9,9'-(1,4-フェニレン)ビス[N,N-ジフェニル-9H-カルバゾール-3-アミン]；
9-[4-(9H-カルバゾル-9-イル)フェニル]-N,N,N',N'-テトラフェニル-9H-カルバゾール-3,6-ジアミン；
テトラフェニル-p-フェニレンジアミン（TPPD）
からなるグループの中からなされる、請求項1に記載のデバイス。
【請求項６】
上記電子輸送共同ホストの選択が、
【化３】
2009535812.tif 000003
（ただし、
nは2〜8の整数であり；
Zは、O、NR、Sのいずれかであり；
RとR1は、炭素原子が1〜24個のアルキル；アリール、またはヘテロ原子で置換されたアリールで炭素原子が5〜20個のもの；ハロ；縮合芳香族環を完成させるのに必要な原子の中から独立に選択され；
Xは、炭素、アルキル基、アリール基、複素環基からなるグループの中から選択された結合単位である）と、
【化４】
2009535812.tif 000004
（ただし、
mは0〜5の整数であり；
それぞれのxは0〜4の整数であり；
yは0〜3の整数であり；
R2とR3は、水素；炭素原子が1〜24個のアルキル；アリール、またはヘテロ原子で置換されたアリールで炭素原子が5〜20個のもの；ハロ；縮合芳香族環を完成させるのに必要な原子の中から独立に選択される）と、
【化５】
2009535812.tif 000005
（ただし、
それぞれのzは0〜5の整数であり；
それぞれのR4は、水素；炭素原子が1〜24個のアルキル；アリール、またはヘテロ原子で置換されたアリールで炭素原子が5〜20個のもの；ハロ；縮合芳香族環を完成させるのに必要な原子の中から独立に選択される）と、
【化６】
2009535812.tif 000006
（ただし、
それぞれのR5はCNであり；
それぞれのpは0〜5の整数であり；
すべてのpの和は1よりも大きい）と、
【化７】
2009535812.tif 000007
（ただし、
R2は電子供与基を表わし；
R3とR4は、それぞれ独立に、水素または電子供与置換基を表わし；
R5、R6、R7は、それぞれ独立に、水素または電子受容基を表わし；
Lは酸素によってアルミニウムに結合した芳香族部分であり、その芳香族部分が置換基で置換されることでLが7〜24個の炭素原子を持つようにすることができる）の中からなされる、請求項1に記載のデバイス。
【請求項７】
上記電子輸送層が、上記電子輸送共同ホストのLUMOレベルよりも0.4eV以上は低くないLUMOレベルを有する材料を含む、請求項1に記載のデバイス。
【請求項８】
上記電子輸送層が、ジアリールアミノアントラセン：
【化８】
2009535812.tif 000008
（ただし、
それぞれのR1は、独立に、Hであるか、アリールアミン基、アルキルアミン基、アルキル基、アリール基、ヘテロアリール基の中から選択された置換基であり、少なくとも1つのR1は置換基であり；
それぞれのR2とR3は、アルキル基、アリール基、ヘテロアリール基、フルオロ基、アリールアミン基、アルキルアミン基、シアノ基の中から独立に選択されるが、これらの基が合わさって縮合環を形成してもよく；
それぞれのmは、0〜5の中から独立に選択された整数であり；
nは、0〜4の中から独立に選択された整数であり；
Xは、0〜3の中から独立に選択された整数である）を含む、請求項1に記載のデバイス。
【請求項９】
上記複素芳香族EIL層の化合物が、5員または6員の窒素含有複素環を有する、請求項1に記載のデバイス。
【請求項１０】
上記複素芳香族EIL層の化合物の選択が、
1）
【化９】
2009535812.tif 000009
（ただし、
それぞれのR5は、水素、アルキル基、アリール基の中から独立に選択され、少なくとも1つのR5は、アリールまたは置換されたアリールである）と；
2）
【化１０】
2009535812.tif 000010
（ただし、
nは2〜8の整数であり；
Zは、O、NR、Sのいずれかであり；
RとR1は、炭素原子が1〜24個のアルキル；アリール、またはヘテロ原子で置換されたアリールで炭素原子が5〜20個のもの；ハロ；縮合芳香族環を完成させるのに必要な原子の中から独立に選択され；
xは、炭素、アルキル、アリール、置換されたアルキル、置換されたアリール、複素環、置換された複素環からなるグループの中から選択された結合単位である）と；
3）
【化１１】
2009535812.tif 000011
（ただし、
R2、R3、R4は、水素、アルキル、置換されたアルキル、アリール、置換されたアリール、ヘテロアリール、置換されたヘテロアリールの中から独立に選択される）と；
4）
【化１２】
2009535812.tif 000012
（ただし、
R6とR7は独立に選択された置換基だが、隣り合った置換基が合わさって環基を形成してもよく；
eとfは、独立に0〜4の整数である）と；
5）
【化１３】
2009535812.tif 000013
（ただし、
Mは、Li、Al、Gaからなるグループの中から選択され；
R8とR9は独立に選択された置換基だが、隣り合った置換基が合わさって環基を形成してもよく；
hとiは、独立に0〜3の整数であり；
jは1〜6の整数である）とからなるグループの中からなされる、請求項９に記載のデバイス。